Podtech/llm-jp-corpus-v4-ja_patent huggingface dataset:
(57)【要約】【目的】バーコードラベルの偽造、変造が不可能な流通管理システムを提供する。【構成】ＮＭＲ（核磁気共鳴）物質を含有したバーコードインキを用いてバーコードラベルの偽造、改ざんが不可能な安全性と信頼性の高い流通管理システムを構築する。ＮＭＲ（核磁気共鳴）粒子を含有したバーコードラベルを専用のＮＭＲ（核磁気共鳴）粒子読取装置を用いて読み取ることによりバーコーラベルの不正使用を防止する。【選択図】          図１
2006065822.tif 000002
【特許請求の範囲】
【請求項１】
ＮＭＲ（核磁気共鳴）物質を含有したバーコードインキを用いることを特徴としたバーコードシステム。
【請求項２】
家畜、野菜、青果物の固体固有の情報をバーコード化することを特徴とした流通管理システム。
【請求項３】
生産者固有の生体情報を請求項１に記載するバーコードインキを用いてバーコード化することを特徴とした流通管理システム。
【請求項４】
生産物を特定する情報を請求項１に記載するバーコードインキを用いてバーコード化することを特徴とした流通管理システム。
【請求項５】
海産物、魚介類等の固体固有の情報を請求項１に記載するバーコードインキを用いてバーコード化することを特徴とした流通管理システム。
【発明の詳細な説明】
【発明の詳細な説明】
【０００１】  本発明は、ＮＭＲ（核磁気共鳴）物質を含有したバーコードインキを用いて家畜、野菜、青果物、工業生産品、海産物、魚介類等の安全性、及び品質を維持する為の流通管理システムに関するものである。
【背景技術】
【０００２】  従来、市場に流通する物品の生産者、産地情報を含む流通過程情報管理媒体として請求項１に記載のインキを用いない通常のバーコードラベルやＲＦＩＤタグが用いられていた。
【発明が解決しようとする課題】
【０００３】  しかしながら、従来用いられていたバーコードは、簡単に偽造、複製ができると言う安全性に関する欠点の有していた。また、ＲＦＩＤタグは、安全性は高いがラベルの価格が高価であるため、その仕様用途が限定されると言う欠点を有していた。
【課題を解決するための手段】
【０００４】  そこで、本発明の目的は、従来のバーコードラベルに用いられていたインキの代わりにＲＦＩＤタグより安価であり、請求項１に記載するＮＭＲ（核磁気共鳴）物質を含有したインキを用いて簡単に偽造、複製の出来ない安全性の高いバーコードシステムを提供することにある。
本発明にかかるバーコードシステムは、バーコードインキの中にＮＭＲ（核磁気共鳴）粒子を含有させ、ＮＭＲ検知器を付設したバーコードリーダーを用いて、あらかじめＮＭＲ粒子を検知してバーコードラベルの真贋を鑑定してからバーコードデータを読み出すことを特徴とする。
【０００５】  この流通管理システムによれば、生産者や産地並びに生産物固有の生体情報をデジタルデータ化してバーコードデータに書き込むことが可能となる。生産者や産地並びに生産物固有の生体情報としては、人間の場合を例に取れば、指紋、虹彩、血管パターン、ＤＮＡ情報等が考えられる。これらの生産者や産地並びに生産物固有の生体情報をデジタルデータ化してＮＭＲ（核磁気共鳴）粒子を含有したバーコードインキを用いてバーコード化することにより、簡単に偽造、複製の不可能な安全性と信頼性の高いバーコードを用いた流通管理システムの構築が可能となる。
【０００６】  なお、本発明は流通管理システムへの適用のほか、物品の真偽鑑定に適用することも可能である。
【０００７】  ＮＭＲ（核磁気共鳴）粒子を含有するバーコードとは、物質にはそれを構成する原子がその物質固有の電磁波の吸収波長を保有しており、その電磁波を吸収すると原子核が共鳴しその物資固有の共鳴周波数を発信する原理を用いたものである。そのバーコードデータをＮＭＲ（核磁気共鳴）粒子の検知機能を有する専用のバーコードスキャナーを用いて、あらかじめＮＭＲ（核磁気共鳴）粒子を検知して、バーコードの真贋を鑑定してからバーコードデータの読み取りを行なうものである。
【０００８】  このＮＭＲ（核磁気共鳴）物質としては、ある種のフェライト物質が用いれている。
【発明実施の形態】
【０００９】  本発明にかかる流通管理システムの具体例を、図１を参照しながら説明する。図１は、同システムを採用した流通過程の概要を示すシステムフロー図である。
【００１０】  １はバーコードラベルである。２はＮＭＲ（核磁気共鳴）粒子検知機能付バーコードリーダーを用いてバーコードのＮＭＲ（核磁気共鳴）粒子を検知する工程である。
【００１１】  ３ａはＮＭＲ（核磁気共鳴）粒子が検知確認された場合である。ＮＭＲ（核磁気共鳴）粒子が検知されると４ａの工程に入りバーコードデータの読み取りが可能となりバーコードデータの読み取りを開始する。５ａの工程によりこのバーコードラベルは、正しいバーコードラベルであると判断される。
【００１２】  ３ｂはＮＭＲ（核磁気共鳴）粒子が検知確認できない場合である。この場合は４ｂの工程に進み、バーコードスキャナーによるバーコードデータの読み取りが不可能となる。その結果５ｂの工程に進みこのバーコードラベルは偽者と判断される。
【発明の効果】
【００１３】  本発明にかかる流通管理システムによれば、ＮＭＲ（核磁気共鳴）粒子を含有することにより専用のバーコードリーダーによりバーコードラベルの真贋鑑定が可能となる。さらに、生産者や産地固有の生体情報の入ったバーコードデータの不正読み取りが不可能となる。
【００１４】  請求項２は、家畜、野菜、青果物の固体固有の情報を請求項１に記載するバーコードインキを用いてバーコード化する場合の流通管理システムである。
【００１５】  請求項３は、生産者固有の生体情報を請求項１に記載するバーコードインキを用いてバーコード化する場合の流通管理システムである。
【００１６】  請求項４は、生産物を特定する情報を請求項１に記載するバーコードインキを用いてバーコード化する場合の流通管理システムである。
【００１７】  請求項５は、海産物、魚介類等の固体固有の情報を請求項１に記載するバーコードインキを用いてバーコード化する場合の流通管理システムである。
【図面の簡単な説明】
【００１８】
【図１】  本発明の説明図である。
【符号の説明】
【００１９】１バーコードラベル
２ＮＭＲ粒子の検知工程
３ａＮＭＲ粒子検知可能
３ｂＮＭＲ粒子検知不能
４ａバーコードデータ読み取り可能
４ｂバーコードデータ読み取り不可
５ａ本物のラベルと認定
５ｂ偽物ラベルと認定
【図１】
2006065822.tif 000003
(57)【要約】  【課題】  薬店向け回転式広告塔として一目でそれと判り多くのカンバンの中でも際立たせ遠くから人目を引くようにする。  【解決手段】  薬店のシンボルである緑十字を用い一目で薬店であると判るようにする。広告塔を立体的に構成し遠くから人目を引くようにする。広告塔を発光ダイオード等で電飾し赤緑黄の光で点滅させて際立たせ人目に付くようにする。広告塔を水平面上で回転させることで３６０度何れの方向からも識別できるようにする。転倒などで回転が拘束された場合には空転させる等の安全装置を備える。広告塔架台の下部にはブレーキ付きキャスターを備え設置撤収を容易にする。  【選択図】  図１
2006065024.tif 000002
【特許請求の範囲】
【請求項１】
主として薬店向けの広告塔として薬店のシンボルである緑十字を立体的に構成し発光ダイオード等で電飾し点滅させた広告塔本体を架台の上部で水平方向に回転させることで目に訴える効果を高め３６０度何れの方向からも認識出来一目で薬店であると判るようにした薬店向け回転式広告塔
【発明の詳細な説明】
【技術分野】
【０００１】
本発明は薬店向けの広告塔として薬店のシンボルである緑十字を立体的に構成し発光ダイオード等で電飾し点滅させた広告塔本体を用いることで文字などを読まなくても瞬間的に一目で薬店であると判るようにし多くのカンバンの中でも一際際立たせ遠くから人目を引くようにし水平方向に回転させることで３６０度何れの方向からも認識される様にした薬店向け回転式広告塔に関するものである。
【背景技術】
【０００２】
商業活動に於いてカンバンや広告塔は重要な位置を占め多く設置されている為特に人目を引き文字などを読むことなく一目でそれと判るようにする工夫が要求される。
【０００３】
薬店向け広告塔として電飾文字表示や垂直方向に回転する回転広告塔はあるが方向性を有し何れの方向からも認識できるものではない。
【特許文献１】特開２００２−２４４５９９
【発明の開示】
【発明が解決しようとする課題】
【０００４】
多くのカンバンや広告塔の中にあっても一際際立ち目立ち瞬間的に薬店であると認識できる広告塔とする。
【０００５】
遠くからでも人目を引くように立体的に構成された回転広告塔とする。
【０００６】
方向性を無くし３６０度何れの方向からも認識できる回転広告塔とする。
【０００７】
夕暮れ時及び夜間等に於いても容易に認識出来る回転広告塔とする。
【０００８】
開店時及び閉店後の回転広告塔の設置及び撤収を容易にする。
【課題を解決するための手段】
【０００９】
多くのカンバンや広告塔の中にあっても一際際立つように立体的な構成とし回転させることで人目を引くようにする。
【００１０】
広告塔本体に薬店のシンボルである緑十字を用い文字などを読むことなく瞬間的に薬店であると判るようにする。
【００１１】
広告塔本体の回転部分には赤緑黄白等の発光ダイオード等で電飾し点滅させることで遠くからでも人目を引くようにする。
【００１２】
広告塔本体の回転方向を水平方向とすることで方向性を無くし３６０度何れの方向からも認識できる回転式広告塔とする。
【００１３】
開店時及び閉店後の回転広告塔の設置及び撤収を容易にするためにストッパー付き移動用キャスターを設ける。
【発明の効果】
【００１４】
広告塔本体に薬店のシンボルである緑十字を用いることで文字などを読まずに瞬間的に薬店であると判る。
【００１５】
遠くからでも人目を引くように立体的な構成とし回転させることで一際際立つ広告塔とする事が出来る。
【００１６】
広告塔本体の回転部分に赤緑黄白等の発光ダイオード等で電飾し点滅させることで夕暮れ時等に於いても遠くからでも人目を引くようにする事が出来る。
【００１７】
回転方向を水平方向とすることで方向性を無くし３６０度何れの方向からも認識できる回転広告塔とする事が出来る。
【発明を実施するための最良の形態】
【００１８】
広告塔本体を立体的に構成し発光ダイオード等で電飾し点滅させて水平方向に回転させることで方向性を無くし３６０度何れの方向からも認識でき他の広告塔とは違った特徴を持ち遠くからでも人目に付くようにする事が出来る。
【実施例１】
【００１９】
図により本発明を薬店の回転式広告塔に実施した例につき説明する。
図１及び図２において十字型回転広告本体１は薬店を表す緑十字を模した物で回転軸受け３及び回転部ボックスフランジ４を介して広告塔架台７の上部に設けられている。
【００２０】
十字型回転広告本体１には発光ダイオード２が取り付けられ赤緑黄白等の色の光が点滅し遠くからも容易に識別できるように工夫されている。
【００２１】
また十字型回転広告本体１は回転部ボックスフランジ４に設けた回転軸受け３及び減速歯車５を介しモーター６により回転させることで他の広告塔とは際立った表示効果を与えることが出来る。
【００２２】
また十字型回転広告本体１は水平面上で回転させるため３６０度何れの方向からでも認識出来るために大きな宣伝効果を得る事が出来る。
【００２３】
十字型回転広告本体１の回転速度は毎分３０回転で最良の表示効果を得るが回転速度は多少は異なっても良い。
【００２４】
発光ダイオード２は消費電力が少なく高輝度の物があり信号機等に多用される通り昼間でも十分認識でき認識しにくくなる夕暮れ時においては更に優れた表示効果を得ることが出来る。
【００２５】
広告塔架台７は色付きエンビ板等で全面カバーされ下面に設けた移動用の四個のキャスター８には固定用のブレーキを備え風圧等では動かないようになっている。
【００２６】
発光ダイオード２及びモーター６への電源は電源コード９より供給される。
【実施例２】
【００２７】
図４及び図５は他の実施例であり薬店のシンボルである緑十字を大きくし発光ダイオード２等で電飾し点滅させることで視認効果を高めたものである。
【００２８】
広告塔の転倒や物に接触し本体の回転が拘束された場合には空転させるなどの安全策が施されている。
【００２９】
また夕暮れ後はカンバンの内部照明１０で緑十字や文字を浮き上がらせ視認効果を高めている。
【産業上の利用可能性】
【００３０】
専ら薬店向けの回転式広告塔としたもので他に利用できるものではない。
【図面の簡単な説明】
【００３１】
【図１】本発明を薬店の回転広告塔への実施例１の側面図
【図２】本発明を薬店の回転広告塔への実施例１の平面図
【図３】本発明を薬店の回転広告塔への実施例１の詳細側面図
【図４】本発明を薬店の回転広告塔への実施例２の正面図
【図５】本発明を薬店の回転広告塔への実施例２の側面図
【図６】本発明を薬店の回転広告塔への実施例２の詳細正面図
【符号の説明】
【００３２】
１    十字型回転広告本体
２    発光ダイオード（ＬEＤ）
３    回転軸受け
４    回転部ボックスフランジ
５    減速歯車
６    モーター
７    広告塔架台
８    移動用キャスター
９    電源コード
１０    カンバンの内部照明
【図１】
2006065024.tif 000003
【図２】
2006065024.tif 000004
【図３】
2006065024.tif 000005
【図４】
2006065024.tif 000006
【図５】
2006065024.tif 000007
【図６】
2006065024.tif 000008
(57)【要約】【課題】台風等による水害時の電気機器への浸水を防ぐ。【解決手段】下面より包み上げる防水シートであり、シートの形状を伸縮可能なジャバラ形状にする事が特徴である。それにより平常時は閉じた形であり、水害発生の危険時は上にシートを開く事により即座にかつ容易に防水機能を発揮する事が可能となる。設置面に固定する機器の場合は、底面のプレートの穴に設置金具を通し、かつプレート両面からナット締めすることにより浸水を防ぐ事が可能である。【選択図】図１
2006040315.tif 000002
【特許請求の範囲】
【請求項１】
重量機器をその底面より包み上げる防水シートであり、シートの側面を伸縮可能な形状とする事で危急時に対応可能となる事を特徴とする防水設備
【請求項２】
ジャバラの形状により伸縮可能となる防水シートを備える請求項１記載の防水設備
【請求項３】
設置金具により設置面と固定する機器の場合、金具の通過する穴およびその穴からの浸水を防ぐための防水用ナットを備える請求項１記載の防水設備
【発明の詳細な説明】
【技術分野】
【０００１】  本発明は、高潮、大雨等による水害時における自動販売機や空調室外機等の退避困難な重量電気機器への浸水を防ぐ水害時電気機器防水用具に関するものである。
【背景技術】
【０００２】  従来、屋外設置の自動販売機や空調室外機の水害対策としては、設置する位置にブロックを敷いたり調整ねじを最長にしてその設置する高さを上げ幾分かの効果が得られていた。
しかしながら、せいぜい数センチから３０センチ程度までしか上げることは出来なかった。
【発明の開示】
【発明が解決しようとする課題】
【０００３】  地球温暖化のせいもあってか、近年の台風発生回数も増え、水害の件数および規模はこれまでとは異なり多大となっている中、従来の方法での数十センチの高さを上げても効果はほとんど得られず、機器内部まで浸水する。
冷蔵機能のある自動販売機の場合、コンプレッサーは一番底面に取り付けられていることが多く、それ以外の機器でも内部には電子部品を備える。
特に高潮による水害の場合、塩水のため濡れた電子部品の損害は大きい。【０００４】  屋外設置の自動販売機、空調室外機等は大型で重量もありまた、転倒防止のため設置地面に固定している事が多く容易に退避移動が困難である。【０００５】  本発明は、このような点に鑑みてなされたものであり、その目的は水害の恐れある時において、重量機器を移動させることなく、即座に水害による機器への浸水を防ぎ、内部電気部品の損傷をなく事である。
【課題を解決するための手段】
【０００６】  上述の目的を達成する本発明の防水設備は電気機器の底面をパネルにて側面をジャバラ形状の防水シートにて下から包み上げる事を特徴とする。【０００７】  地面への固定ボルトを通すため底面のパネルには穴を備えるがナットをシートの上からと下からで締め付けることにより浸水は防ぐことができる。【０００８】  上部開口部分からの雨水の進入を防ぐため上部開口部には紐等で締め塞ぐ。
【発明の効果】
【０００９】  以上説明したように本発明によれば、重量のある屋外電気機器あるいは設置地面に固定されている機器を移動させることなく、すばやく手軽に水害時の機器への浸水による内部電気（電子）部品の損傷から守ることが可能となる。
【発明を実施するための最良の形態】
【００１０】  以下、本発明の実施の形態を図面に基づき詳細に説明する。【００１１】  図１は、水害による機器への浸水を防止する状態であり、図２は、水害の危険の無い通常時における状態である。【００１２】  通常、図２の状態であり、水害の危険のある場合、前もってジャバラ状にある防水シート▲７▼を引き上げ、下から包み上げておく。また上部を紐で縛る事によりシートを固定すると共に雨等の上部からの浸入を防ぐ事が可能となる。【００１３】  底面のプレートはゴム、ビニール、プラスチック等合成樹脂に限らず防水性のあるものであれば任意の材質の物が考えられる。
側面の防水シートは、ゴム、ビニール等合成樹脂に限らず防水性のあるものであれば任意の材質の物が考えられるが、いずれにおいてもジャバラの形状にする事により、引き上げおよび仕舞い込みが敏速かつ容易となる。
底面のプレートおよび側面の防水シートは接合あるいは一体とする事により浸水を防ぐ。【００１４】  底面プレートには屋外機器の設置場所への固定用ボルト▲３▼を通過させるための穴▲６▼を設けてあるが、図３に示すように、その箇所には底面プレートを挟む形でナット▲４▼で締める。それにより、その穴からの浸水を防ぐ。
【図面の簡単な説明】
【００１５】
【図１】  本発明の水害危険時における防水作用中の状態にある外観斜視図である。
【図２】  本発明の水害危険の無い、通常時における外観斜視図である。
【図３】  保護する屋外設置機器の固定用設置ボルト付近の詳細断面図である。
【図４】  本発明の上部からの平面図である。
【図５】  本発明の断面図である。
【図１】
2006040315.tif 000003
【図２】
2006040315.tif 000004
【図３】
2006040315.tif 000005
【図４】
2006040315.tif 000006
【図５】
2006040315.tif 000007
(57)【要約】【課題】    光ピックアップの対物レンズのクリーニング【解決手段】クリーニングディスク１に中心孔２を設け、クリーニングディスク１の中心より接線と交わる接点間の裏面に先端がＶ字状の清掃部材３をクリーニングディスク１の回転方向に傾斜させ設け構成している。【選択図】      図１
2006040506.tif 000002
【特許請求の範囲】
【請求項１】
光ピックアップの対物レンズの汚れをクリーニングするレンズクリーナーにあって、少なくとも一つ以上のフレキシブルな状態を有する清掃部材（例えばブラシ等）を、クリーニングディスクに、該清掃部材先端がＶ字状であって、かつ該清掃部材の先端が、クリーニングディスクの回転方向に傾斜するように設け構成したことを特徴とした光ピックアップレンズクリーナー。
【請求項２】
前記清掃部材のＶ字状先端が交差するように設けられたことを特徴とした請求項１記載の光ピックアップレンズクリーナー。
【請求項３】
前記清掃部材のＶ字状先端が交差せず僅かな間隔をもって設けられたことを特徴とした請求項１及び２記載の光ピックアップレンズクリーナー。
【発明の詳細な説明】
【発明が属する技術分野】
【０００１】本発明は、光ピックアップ対物レンズのクリーニングに関するものである。
【背景技術】
【０００２】現在市販されている多くの光ピックアップレンズクリーナーは、ディスク面に一つ又は複数のブラシ等の清掃部材が設けられ、該ディスクをプレーヤで再生することにより光ピックアップの対物レンズに清掃部材が接触し、該光ピックアップの対物レンズの汚れをクリーニングする。
【発明が解決しようとする課題】
【０００３】しかし、前記クリーニングディスクでは、ホコリ及び、ゴミ等の除去はできるが、清掃部材がクリーニングディスクに略垂直に設けられており、かつクリーニングディスクは一方向に回転するため、除去されたホコリ及び、ゴミ等は光ピックアップの対物レンズの縁に残る場合もあり、徐々に堆積し、光ピックアップの対物レンズ及び、周辺の機器の機能に、不具合をもたらす場合も考えられる。
【課題を解決する手段】
【０００４】本発明は、少なくとも一つ以上のフレキシブルな状態を有する清掃部材（例えばブラシ等）を、クリーニングディスクに該清掃部材先端がＶ字状であって、かつ該清掃部材の先端が、クリーニングディスクの回転方向に傾斜させ設けることにより、該清掃部材は、光ピックアップの対物レンズ球面の中心の縁より接触し対物レンズ頂点に達する間にその周り全体にも分散接触し、レンズ球面はもとより、その周辺の縁に付着したホコリ、ゴミ等を含め搦め捕り汚れを除去できるように構成している。
【０００５】また、Ｖ字状を有した清掃部材の先端は、交差したもの、及び僅かな間隔を設けたもの等、光ピックアップ対物レンズの汚れ具合に対応できるように構成している。
【発明の実施と形態】
【０００６】本発明の構成を図１及び図２によって説明する。
クリーニングディスク１の中心に中心孔２を設け、該中心孔２の中心より接線と直角に交わる接点間裏面に、清掃部材３を設け該清掃部材３は先端がＶ字状であって、かつその先端がクリーニングディスク１の回転方向に傾斜させ設けられ構成されている。
【実施例】
【０００７】本発明の実施例を図３〜図９によって説明する。
プレーヤ５のトレー６をイジェクトし、このトレー６にクリーニングディスク１をセットしプレーボタンを押しプレー状態にする。次にクリーニング領域に光ピックアップの対物レンズ４を移動させると、クリーニングディスク１は動作を開始し対物レンズ４のクリーニングを清掃部材３が行う。図４〜図７はクリーニングの実施例を示すものである。また図８及び図９はクリーニングの際の清掃部材３の移動と軌跡７を示したものである。
【発明の効果】
【０００８】本発明は、以上説明したような形態で実施され、以下に記載されるような効果を奏する。
【０００９】清掃部材にフレキシブルな状態の素材を使用しその先端をＶ字状にし、かつクリーニングディスクの回転方向に、前記先端を傾斜させたため、対物レンズ全体に清掃部材が分散しホコリ、ゴミ等を確実に搦め捕ることができる。
【００１０】前記した素材、及び形態により、対物レンズにクリーニング時のダメージを与えない。
【００１１】清掃部材の先端をＶ字状にし、該先端を交差させたり、逆に僅かな間隔を持たせたりすることにより、クリーニングのコントロールができる形態を可能にしている。
【図面の簡単な説明】図１  クリーニングディスクを示す平面図
図２  クリーニングディスクを示す正面図
図３  クリーニングディスクとプレーヤの実施例を示す斜視図
図４  対物レンズと清掃部材Ｖ字状先端の交差状態を実施例を示す平面詳細図
図５  同上実施例を示す縦断面図
図６  対物レンズと清掃部材Ｖ字状先端の僅かな間隔を設けた実施例を示す平面詳細図
図７  同上実施例を示す縦断面図
図８  対物レンズに対する清掃部材の移動を示す平面詳細図
図９  対物レンズに対する清掃部材の軌跡を示す平面詳細図
【符号の説明】
１：クリーニングディスク
２：中心孔
３：清掃部材
４：対物レンズ
５：プレーヤ
６：トレー
７：清掃部材の軌跡
【図１】
2006040506.tif 000003
【図２】
2006040506.tif 000004
【図３】
2006040506.tif 000005
【図４】
2006040506.tif 000006
【図５】
2006040506.tif 000007
【図６】
2006040506.tif 000008
【図７】
2006040506.tif 000009
【図８】
2006040506.tif 000010
【図９】
2006040506.tif 000011
(57)【要約】【課題】埋め込みコンセント等にプラグを挿した場合にプラグ筐体の突出を無くす。【解決手段】取付プレートに埋め込み機器を固定する保持部材を埋め込み機器の一部が露出するように開口部を設け、かつ埋め込み機器の露出部が取付プレートの前面より後退した位置になるように湾曲させることにより課題を解決するものである。【選択図】図１
2006040848.tif 000002
【特許請求の範囲】
【請求項１】
取付プレートに埋め込み機器を固定する保持部材であって、
前記保持部材は
前記取付プレートに固定される固定手段と
前記埋め込み機器を固定した際に前記埋め込み機器の一部が露出するように開口部を有するとともに、
前記埋め込み機器の露出部が前記取付枠プレートの前面より後退した位置になるように
前記保持部材の前面を湾曲させたことを特徴とする保持部材。
【発明の詳細な説明】
【技術分野】
【０００１】
本発明は、壁埋め込みコンセント等に関する。
【背景技術】
【０００２】
配線設備において、配線器具及び線材を壁内に納め外観を損ねない方法が多く採用されている。例えばコンセント等の埋め込み機器は開示した特許文献のように、壁前面より突出しないようにに取付けられる。
【特許文献１】特開平８−９６９０６号  公報
【発明の開示】
【発明が解決しようとする課題】
【０００３】
開示した特許文献に記されている配線器具等を用いた場合、コンセント等の埋め込み機器は壁前面より突出しないが、このコンセントにプラグを接続した場合、プラグの筐体が壁前面より突出してしまう。人や物が、この突出した部分にあたり接触不良を起こしたり、配線器具を破損してしまうことが多々見かけられた。本発明は上記の状況を鑑み、埋め込み機器にプラグ等を接続しても、壁前面より突出しないようにすることを課題とする。    
【課題を解決するための手段】
【０００４】
取付プレートに埋め込み機器を固定する保持部材を
埋め込み機器の一部が露出するように開口部を設け、かつ
埋め込み機器の露出部が取付プレートの前面より後退した位置になるように
湾曲させることにより課題を解決するものである。
【発明の効果】
【０００５】
上記の保持部材を用いて、コンセント等の埋め込み機器を壁前面より後退した位置に取付けるので、このコンセント等に接続されるプラグ等は壁前面より突出することなく人や物がぶつかるなどの事故が防げる。    
【発明を実施するための最良の形態】
【０００６】
図３は取付プレートである。  取付プレートは従来から有るもので、壁に固定するネジ穴と埋め込み機器などを固定する固定爪を有している。        
【０００７】
図１は本発明の保持部材である。  保持部材の固定手段に取付プレートの固定爪を嵌挿する。        
【０００８】
次に保持部材の開口部から埋め込み機器の前面が露出するように、埋め込み機器を保持部材に固定する。        
【０００９】
埋め込み機器の配線を済ませ、壁開口部に取付プレートを介して固定する。さらに固定プレートの前面に化粧パネルを装着させる。    
【図面の簡単な説明】
【００１０】
【図１】・・・本発明の保持部材                        （ａ）斜めから見た斜視図                      （ｂ）正面から見た前面                      （ｃ）横からみた図
【図２】・・・本発明の保持部材を用いた配線工事例
【図３】・・・取付プレート
【図４】・・・従来の配線部材を用いた配線工事例
【図３】
2006040848.tif 000003
【図１】
2006040848.tif 000004
【図２】
2006040848.tif 000005
【図４】
2006040848.tif 000006
(57)【要約】【課題】  ＦＡＴファイルシステムを使用してランダムアクセスを行うと、現在の読み込み位置より順方向の領域をアクセスする場合は、高速であるが、逆方向の領域をアクセスする場合は、ＦＡＴファイルシステムの構造上アクセス速度が非常に遅いという欠点がある。※ＦＡＴファイルシステムとは、ＨＤＤ／メモリカード等の大容量メディアに汎用的に使用されているメディアフォーマットである。【解決手段】  ＦＡＴファイルシステムの使用方法を工夫する事で、ランダムアクセス時の速度低下を軽減させる。【選択図】  なし【特許請求の範囲】
【請求項１】
ＦＡＴファイルシステムの使用にあたり、単一のファイルに対して複数のファイルポインタを用いてアクセスする事でファイルアクセス高速化を実現する。
ファイルアクセスする際、目標とするデータ位置に対し、どのファイルポインタを用いる事で高速アクセスが可能かを判定して、ファイルアクセスする事で高速アクセスを実現する。
【発明の詳細な説明】
【発明の詳細な説明】
【技術分野】
【０００１】  本発明は、ＦＡＴファイルシステムにおける、使用方法に関するものである。
【背景技術】
【０００２】  単一のファイルアクセスには、単一のファイルポインタを用いてランダムアクセスを行っている。
【発明が解決しようとする課題】
【０００３】  従来のファイルアクセス方法では、ファイルポインタの現在位置より逆方向の領域をアクセスする際、ＦＡＴファイルシステムの構造上の欠点により逆方向位置のデータ位置を求める為には、ファイルの先頭クラスタよりクラスターチェーンをたどる必要がある為、時間がかかるという欠点がある。
本発明は、これらの欠点を軽減することを目的とする。
【課題を解決するための手段】
【０００４】  本発明は、上記の目的を達成するため、複数のファイルポインタを用いて単一のファイルを開く事で、目標とするファイルデータに対して最も高速にアクセスできるファイルポインタを選択してアクセスする事で高速化を行う。
【発明を実施するための最良の形態】
【０００５】  ソフトウェア処理の待ち時間が短縮され処理の高速化が行える。
【実施例】
【０００６】  以下の図のファイルをアクセスする場合。現在ファイルポインタＡとＢの２つのポインタにてファイルを開いている。それぞれの現在のアクセス位置は、Ａ、Ｂのりとなっている。次にアクセスする位置が「目標位置」であった場合、２つのファイルポインタの現在の位置と「目標位置」を比較して判定し、高速アクセス出来る位置にあるファイルポインタＡを用いて目標位置をアクセスする。
（高速である判定とは、目標位置が現在位置よりも順方向にあるときを言う）
2006040243.tif 000002
【発明の効果】
【０００７】  ソフトウェア処理の待ち時間が短縮され処理の高速化が行える。
(57)【要約】      （修正有）【課題】パソコン上のウインドウを持つ複数のアプリケーションに対し、設定を部分的に変更して操作を自由に設定する。【解決手段】テキストエディターで編集した設定ファイルは、クリップボードにコピーする文字列を記述する部分と、ウインドウをもつアプリケーションに自動で連続して入力操作を行うための一連の設定値を記述する部分に分けて記述する。設定ファイルの記述が終了した後、本発明のプログラムルーチンを含んだプログラムを起動して、設定ファイルの内容を読み込む。本発明のプログラムルーチンを含んだプログラムは設定ファイルの内容に従って、ウインドウを持つ複数のアプリケーションに自動で連続して入力操作を行う。【選択図】なし【特許請求の範囲】
【請求項１】
テキストエディターで設定ファイルを編集してウインドウを持つ複数のアプリケーションの操作を自由に設定するプログラムルーチン
【発明の詳細な説明】
【発明の詳細な説明】
【技術分野】
【０００１】  本発明の属する技術分野はコンピュータープログラムである。
【背景技術】
【０００２】  従来の技術ではＷＩＮＤＯＷＳのアプリケーションにあるマクロ機能や、ＷＩＮＤＯＷＳ３．１（ＯＳ）に付属しているレコーダーというアプリケーションがある。
【発明が解決しようとする課題】
【０００３】  テキストエディターで設定ファイルを編集できるようにすることによって、設定を部分的に変更し、ウインドウを持つ複数のアプリケーションの操作を自由に設定する。
【課題を解決するための手段】
【０００４】  まずテキストエディターで設定ファイルを編集する。設定ファイルはテキスト形式で記述するなどする。その後本発明のプログラムルーチンを含んだプログラムを起動して、設定ファイルの内容を読み込み、その設定ファイルに記載されたとおりに順番にウインドウを持つ複数のアプリケーションに自動で連続して入力操作を行う。
【０００５】  そのために設定ファイルの値はクリップボードにコピーする文字列を記載した部分とウインドウを持つ複数のアプリケーションに自動で連続して入力操作を行うための設定を行う部分を分けて記述する。ファイルを読み込む場合は目的のファイルを作成しておく。
【０００６】  設定ファイルでクリップボードにコピーする文字列を記載した部分とプログラムに入力操作をするための設定を行う部分をプログラムが識別するためには、設定ファイルの最初の部分で２つの部分の区切り文字や文字列を設定し、２つの部分の分岐点にその文字や文字列を記述するなどする。書式は一行に一つの設定値を記述するなり、設定値を一つずつカンマで区切るなどの方法が考えられる。
【０００７】  本プログラムルーチンを使用したプログラムでは設定ファイルから読み込んだ値によって処理の種類を選択する。
【０００８】  設定する処理の種類は次のように、８つに分けることができる。１．キーボードのキー値を指定してキーを押すキーストロークをウインドウに送る。２．キーボードのキー値を指定して離すキーストロークをウインドウに送る。３．処理を指定時間一時停止する。４．クリップボードに文字列をコピーする。５．プログラム名を指定してプログラムを起動する。６．ウインドウを指定して、そのウインドウをアクティブにする。７．ファイル名を指定して、そのファイルを読み込んでクリップボードにコピーする、８．処理を終了する。以上の処理を設定値として記述する。
【０００９】  設定ファイルで外部プログラムを制御するための部分は処理を意味する値（数値や簡単な単語など。）とそのパラメータ（仮想キーコード、処理を一時停止する時間、クリップボードにコピーする文字列を意味する番号や記号（設定ファイル上のクリップボードにコピーする文字列を記載した部分の各文字列に先頭から番号を割り振るなどする。）、プログラム名、起動したプログラムのウィンドウハンドルに関連する番号や記号（プログラムの実行順にウィンドウハンドルを取得するなどして、番号化するなどする。）、読み込むファイル名など。）の二つの設定値でひとつの処理を表現するようにする。処理を終了する場合は、処理を意味する値のみでもよい。
【発明を実施するための最良の形態】
【００１０】  ソフトウェア化するにあたってはユーザー登録やプログラム本体にＩＤナンバーをつけるなどする。また本プログラムルーチンを使用したソフトウェアのコピーの防止に努め、公共の福祉に反する使用を制限する。
(57)【要約】【課題】クライアントが人目の気になるカウンセリングクリニックに時間をかけて通院する事無く、カウンセラーの出張によるプライバシーの守られた心理カウンセリングを提供する。【解決手段】乗用車でカウンセラーはクライアントの希望する場所や時間に出向き、乗用車内で心理カウンセリングを行う。【特許請求の範囲】
【請求項１】
クライアントは電話やＥメールで心理カウンセリングの予約を行い、クライアントの希望する時間と場所へカウンセラーは乗用車で出向き、車内で心理カウンセリングを行う。
【発明の詳細な説明】
【技術分野】
【０００１】本発明はクライアントが心理的に踏み込み難いカウンセリングクリニックに通院する事無く、乗用車の中でカウンセラーの心理カウンセリングを受けられるものである。
【背景技術】
【０００２】  従来の心理カウンセリングはカウンセリングクリニックに通院しなければならず、人目等を気にするあまり、心理カウンセリングを受ける機会を損失してました。
クライアントの中には忙しくて、カウンセリングクリニックに通院する時間が持ち辛く、心理カウンセリングを受ける機会を損失していました。
【発明の開示】
【発明が解決しようとする課題】
【０００３】      そのために、次のような問題点がありました。
（イ）カウンセリングクリニックに通院することを恥ずかしいと思うクライアントは少なくない。
（ロ）クライアントは上司や友人に悩みを相談しても解決しない問題は少なくない。
（ハ）虐待や自殺等、悲惨な事件が年々増加している。
（ニ）クライアントの中には忙しくて、カウンセリングクリニックに通院する時間が持ちに辛く、心理カウンセリングを受ける機会を損失していました。
（ホ）カウンセラーはカウンセリングクリニックを開設する投資のリスクがありカウンセラー側も開業には二の足を踏んでいる。
本発明は以上の問題点を解決するものである。
【課題を解決するための手段】
【０００４】クライアントは電話やＥメールで心理カウンセリングの予約を行い、クライアントの希望する時間や場所へカウンセラーは乗用車で出向き、車内で心理カウンセリングを行う。
【発明の効果】
【０００５】（イ）クライアントは家族や他人の目を気にする事無く心理カウンセリングが受けられる。
（ロ）クライアントは後々、重大な問題に発展する些細な心理問題を早期に解決して社会環境にも良い結果をもたらす。
（ハ）クライアントは希望する時間、場所にカウンセラーが出張してもらえる為、カウンセリングクリニックに通院する時間を節約できる。
（ニ）カウンセラーはカウンセリングクリニックの為の店舗を持たなくて済み、開業し易く、利益も生みやすい。
【発明を実施する為の最良の形態】
【０００６】      以下、本発明の実施の形態について説明する。
（イ）カウンセラーは携帯電話を用意する。
（ロ）カウンセラーは固定電話を用意する。
（ハ）カウンセラーは乗用車を用意する（シートが対面できる車種が望ましい）。
（ニ）クライアントは（イ）または（ロ）の電話に心理カウンセリングの依頼をする。
（ホ）カウンセラーは待ち合せ時間と場所をクライアントと約束する。
（ヘ）カウンセラーは（ハ）の乗用車で（ホ）の待ち合せ場所へ行き、車内で心理カウンセリングを行う。
(57)【要約】      （修正有）【課題】インターネットショッピングで、商品の試着を画面上で可能にする方法を提供する。【解決手段】インターネットショッピング利用者の身体的特徴をそっくり写した分身を画面上に作成し、商品を試着させ、客観的に確認ができるようにし、またインターネットならではの利便性に着目し、商品を身につけて行きたい場所に背景を変えることでさらに自ら客観的に確認できるようにする。そして、利用者の情報データ、ファション専門家からの情報データをもとに、画面上にバーチャルスタイリストを作成、利用者に助言を与えることで実際の店舗で買い物するように、楽しみながらショッピングすることができる。【選択図】なし【特許請求の範囲】
【請求項１】
インターネットショッピングにおいて利用者の身体的特徴（体型、髪型、肌の色等）を詳細に取り込み利用者そっくりの平面または三次元の分身を作成し、商品（服、靴、メガネ、帽子、ジュエリー、バッグ等）を試着させ客観的に見ることができるようにすることで、購買意欲を上げるものである。これによって、何着でも、どんな組み合わせでも瞬時に試着が可能となる。
【請求項２】
商品を試着した利用者そっくりの分身を好みの場所、場面の背景の中に入れ込み目的の場所で商品を試着した利用者のようすを客観的に見ることができるようにすることで、購買意欲を上げるものである。
【請求項３】
利用者の商品取引の状況、身体的データ、ファション専門家による流行などのデータなどを参考に、利用者個々に助言をするスタイリストを作成することで、購買意欲を上げるものである。
【発明の詳細な説明】
【技術分野】
【０００１】  本発明は、インターネットショッピングにおいて、服、靴、帽子、メガネ、アクセサリー、バッグなどの商取引に関する。
【背景技術】
【０００２】  昨今、インターネットを利用したあらゆる商取引が確立されつつある。
【発明の開示】
【発明が解決しようとする課題】
【０００３】  従来のインターネットショッピングでは、試着することができない為、取引後に商品を実際手に取ったとき、色、柄、形など自分の予想と違ってたり、身につけると似合わないなどの問題が生じていた。【０００４】  本発明は、このような従来のインターネットショッピングにおける問題を解決しようとするものであり、さらにインターネットの特性をいかし、実際の直接店で買うこと以上の利便性を実現することを目的とするものである。
【課題を解決するための手段】
【０００５】  そして本発明は、上記目的を達成するために、インターネットショッピング利用者の身体の各部分のサイズ、髪型、肌の色等できるだけ詳細なデータ、又は全身写真、顔写真により取り込んだデータにより、利用者そっくりの分身を平面または三次元に作成し、気に入った商品を試着、身につけさせて画面上で利用者が客観的に確認できるようにするものである。【０００６】  また、インターネットの利便性を活用し、利用者が商品を身につけて行ってみたい場所、場面（例東京渋谷の街、ハワイのワイキキビーチ、パーティ会場等）を自由に選んで画面上に映し出し、その中に商品を身につけた利用者の分身を入れ込むことで、さらに客観的に確認できるようにし、商品を試着して出かけるという実際の店ではできないことが、画面上で叶えることができるものである。【０００７】  また、利用者の商取引の状況、手持ちの商品のデータ、分身のデータ、ファション専門家から流行などのデータから、バーチャルの専属スタイリストを作成し、好みのキャラクター（例、褒め上手、辛口）をもたせ、利用者に助言をさせ、楽しみながら購買意欲を起こさせるものである。
(57)【要約】【課題】  従来の携帯電話利用の注文システムについては、ＰＯＳとの連動ができていないことから、既にＰＯＳを導入している場合には携帯電話での注文システムを並行で使い、手作業により合計を行なうか、どちらか一方のシステムを使うしかあいという問題点がある。【解決手段】  本発明の携帯電話とＰＯＳとの連動システムは、ＰＯＳシステム単体で完結してしまう流れの中に、専用システムを介することで携帯電話の注文データを並行させ、一元管理することを可能にし、携帯電話、専用端末のどちらでも注文できるようにした。【選択図】図１
2006040237.tif 000002
【特許請求の範囲】
【請求項１】
携帯電話を使って商品などを注文するシステムとレジなどの金額計算を一元管理するＰＯＳシステムとを連動させることで、ＰＯＳの注文を行う端末として、従来の専用端末以外に携帯電話を端末として使っても情報が一元管理されるようにしたシステム
【発明の詳細な説明】
【技術分野】
【０００１】  本発明は、携帯電話を使った注文・予約を管理するシステムに関する。
【背景技術】
【０００２】  携帯電話を利用して注文を行なうことができるシステムは既に存在している。【０００３】  以下従来の注文システムについて説明する。従来の携帯電話を使って注文を行なうシステムは、そのシステムを単独で利用するか、既に利用中のＰＯＳシステムと併用して利用する場合には、データが連動していないことから携帯情報を別途精算してＰＯＳ側に取り込み合計する必要がある。【０００４】  また、従来のＰＯＳシステムは専用の注文端末が必要であり、携帯端末を注文端末として利用することができない方式を採用している。【０００５】  また従来の携帯端末による注文システムについても専用サーバーを介して動作することで完結しており、ＰＯＳとの一元管理はできないようになっている。
【発明の開示】
【発明が解決しようとする課題】
【０００６】  以上述べた携帯電話利用の注文システムについては、ＰＯＳとの連動ができていないことから、既にＰＯＳを導入している場合には携帯電話での注文システムを並行で使い、手作業により合計を行なうか、どちらか一方のシステムしか使えないという問題点があった。【０００７】  本発明は、このような従来のシステムが有していた問題を解決しようとするものであり、既存ＰＯＳの導入済者にとっても新規で導入する者にとってもメリットがあるようにすることを目的とするものである。
【課題を解決するための手段】
【０００８】  本発明は、ＰＯＳシステム単体で完結してしまう流れの中に、専用システムを介することで携帯電話の注文データを並行させ、一元管理することを可能にすることでこの課題の解決を実現している。【０００９】  まず、携帯電話による注文システムについては、一般の利用者側から直接注文できるので、店員などが専用端末で入力して確認することがなくなる。【００１０】  従来のＰＯＳシステムを既に導入している先が、携帯電話を使った注文システムを導入する場合には２系統の情報が入ることから作業負担が増えるだけでなく、間違いのもとになる可能性も多かったが、本システムを介することでこの問題が解決するようになっている。
【発明の効果】
【００１１】  上述したように、本発明の携帯電話とＰＯＳとの連動システムは、ＰＯＳシステム単体で完結してしまう流れの中に、専用システムを介することで携帯電話の注文データを並行させ、一元管理することが可能になる。【００１２】  また注文については、専用のＰＯＳ端末以外に一般顧客の携帯電話を利用することが可能になるので顧客の満足度向上が図れるようになる。【００１３】  一方、本システムの導入者にとっても、データの一元管理化により、個別入力による精算字のトラブルや金額相違などが少なくなるというメリットは大きい。
【発明を実施するための最良の形態】
【００１４】  以下、本発明の実施の形態を図１に基づいて説明する。【００１５】  携帯電話からの注文は、図１の▲１▼のようにサーバーが受付処理を行い、▲２▼のようにパソコン端末に処理内容を返すシステムになっている。【００１６】  その注文内容は▲３▼の通り、レジのシステム（ＰＯＳ）に連動しており、店舗側が手作業で代金精算を入力する必要はない。【００１７】  注文システムについては、ＰＯＳの専用端末を利用していても、顧客である利用者側の携帯端末を利用することで、違ったデータを別に処理するという負担はない。
【図面の簡単な説明】
【００１８】
【図１】  本発明の実施形態を示す全体イメージ図
【符号の説明】
【００１９】  図１▲１▼注文を受けるサーバー
図１▲２▼受けた注文をＰＯＳに連動させるパソコン
図１▲３▼レジに連動したシステム
【図１】
2006040237.tif 000003
(57)【要約】【課題】  この発明の課題は水平方向に複数個の電池を配置する場合、用いられる保護回路基板を電池に対して電気的絶縁状態にでき、しかも確実な位置保持ができる電池の組み合わせ構造を提供するものである。【解決手段】  水平に並置した二次電池と、この電池のプラス側を共通接続したプラスリード板と、前記電池のマイナス側を共通接続し前記片方の二次電池の側部に沿ってプラス側まで延長されたマイナスリード板と、このマイナスリード板の先端に固定され他端は前記プラスリード板に固定されて前記電池のプラス極を跨えるように設けられた電池をコントロールする回路基板と、前記マイナスリード板と電池とを絶縁する絶縁シールとからなり前記回路基板が前記プラスリード板と空間をもって設置されていることを特徴とする電池の組み合わせ構造。【選択図】  図１
2006040775.tif 000002
【特許請求の範囲】
【請求項１】
水平に並置した二次電池と、この電池のプラス側を共通接続したプラスリード板と、前記電池のマイナス側を共通接続し前記片方の二次電池の側部に沿ってプラス側まで延長されたマイナスリード板と、このマイナスリード板の先端に固定され他端は前記プラスリード板に固定されて前記電池のプラス極を跨えるように設けられた電池をコントロールする回路基板と、前記マイナスリード板と電池とを絶縁する絶縁シールとからなり前記回路基板が前記プラスリード板と空間をもって設置されていることを特徴とする電池の組み合わせ構造。
【請求項２】
前記マイナスリード板及びプラスリード板は電池の電極にスポット溶接で接続することを特徴とする請求項１記載の電池の組み合わせ構造。
【請求項３】
前記絶縁シールは両面が接着性のある所謂両面テープでなることを特徴とする請求項１記載の電池の組み合わせ構造。
【請求項４】
水平に並置した二次電池と、この電池のマイナス側を共通接続したマイナスリード板と、前記電池のプラス側を共通接続し前記片方の二次電池の側部に沿ってマイナス側まで延長されたプラスリード板と、このプラスリード板の先端に固定され他端は前記マイナスリード板に固定されて前記電池のマイナス極を跨えるように設けられた電池をコントロールする回路基板と、前記プラスリード板と電池とを絶縁する絶縁シールとからなり前記回路基板が前記マイナスリード板と空間をもって設置されていることを特徴とする電池の組み合わせ構造。
【請求項５】
前記２個の電池はを水平位置に保持するための両面テープを橋絡接着したことを特徴とする請求項１及び４記載の電池の組み合わせ構造。
【発明の詳細な説明】
【技術分野】
【０００１】
この発明は、複数個の二次電池を水平に並置し、これに電池の保護回路を取り付ける場合の電池の組み合わせ構造に関する。
【背景技術】
【０００２】
最近、とみに使用される様になった携帯電話機器或いはPDA等の端末機器は多くの機能が付加されている状況に達している。その為に電池の容量が不足し、従って複数個の電池を利用して不足容量を補うことが行われている。その場合電子機器の構造によって厚み方向に厚くするか平面方向に広くするかの２様である。しかし水平方向の場合は内部の電子回路基板を電池に対していかなる配置にするかの工夫が望まれている。つまり電気的に電池に対して基板を絶縁状態で配置する必要がある。
【特許文献１】特開２０００−２１３７４号公報
【発明の開示】
【発明が解決しようとする課題】
【０００３】
そこで、この発明の課題は水平方向に複数個の電池を配置する場合、用いられる保護回路基板を電池に対して電気的絶縁状態にでき、しかも確実な位置保持ができる電池の組み合わせ構造を提供するものである。
【課題を解決するための手段】
【０００４】
上記の課題を解決するために、水平に並置した二次電池と、この電池のプラス側を共通接続したプラスリード板と、前記電池のマイナス側を共通接続し前記片方の二次電池の側部に沿ってプラス側まで延長されたマイナスリード板と、このマイナスリード板の先端に固定され他端は前記プラスリード板に固定されて前記電池のプラス極を跨えるように設けられた電池をコントロールする回路基板と、前記マイナスリード板と電池とを絶縁する絶縁シールとからなり前記回路基板が前記プラスリード板と空間をもって設置することにより水平方向に保護回路と電池とは電気的絶縁性を保って配置でき、しかも水平を維持できるものである。
【発明の効果】
【０００５】
請求項１によれば、保護回路は電池に対して空間的に絶縁されしかも複数の電池は水平に維持されながら電池パック内に収納できる。
請求項２によれば、プラス又はマイナスのリード板を扁平にしこれをスポット溶接で電池の電極に固定したので電池自体が水平に維持される。
請求項３によれば、両面テープが絶縁シールであるからリード板が動くことがないものである。
請求項４によれば、リード板をマイナス、プラスを逆にしても実現できる。
請求項５によれば、複数の電池を両面テープで貼るので電池の水平が保てるものである。
電池パックの上下蓋のいずれかの側辺に突起を設け、本体にはこの突起が嵌合する嵌合構造を構成することで、電池パックが内蔵された際、前記突起が嵌合構造に嵌合し確実に電子機器内部に取り付けることができるものである。
【発明を実施するための最良の形態】
【０００６】
（実施形態１）
図１はこの発明の一実施形態を示す斜視図で以下に説明する。
１、２は扁平な電池で、この電池は２個を水平に並置してある。扁平な電池１，２の一方の電池の側部にはマイナスリード板３が配置してある。このマイナスリード板３の終端は電池１、２のマイナス極にスポット溶接してある。そして、電池１の側部とマイナスリード板３とは絶縁シール４で接着されていて両者を固定している。
【０００７】
前記電池１，２のプラス極側にはプラスリード板５がスポット溶接されていてこのプラスリード板５の終端は立ち上がり回路基板６の回路に電気的に接続されている。このプラスリード板５を回路基板６に取り付けた回路基板６の反対側には前記マイナスリード板３が取り付けられていて電気的に接続している。
【０００８】
従って、回路基板６はプラスリード板５上の空間で固定され従って、空間によるプラスリード板５と電気的絶縁状態にある。又、プラスリード板５とマイナスリード板３とは平板状で形成されているから２個の電池の結合が強固になる。つまり２個の電池の相互の密接部分を離すようなねじれの力が発生しても比較的影響力が生じないものでる。
【図面の簡単な説明】
【０００９】
【図１】この発明に係わる電池の組み合わせ構造の斜視図。（実施形態１）
【符号の説明】
【００１０】
１、２  電池
３  マイナスリード板
４  絶縁シート
５  プラスリード板
６   回路基板  
【図１】
2006040775.tif 000003